(57)【要約】【課題】夜間などでも必要なときに所在位置の視認が容易になる踏み台を提供。【解決手段】踏み台１は、踏面４を備える踏み板２と、踏み板２を支持する脚部３と、踏面４に取り付けられた透光体１１と、透光体１１に近接して踏み板に埋め込まれた踏面光源と、移動対象を検知する人感センサ１８とを備えている。この人感センサ１８は、移動対象を検知することにより、踏面光源が発光するように構成されている。上記人感センサ１８は、定められた照度以上の環境下では動作しないようにされている。上記透光体１１は、踏面光源から光を受けて、その光を上方へ放射しうるように構成されている。好ましくは、透光体１１は、踏面４に位置して踏み板２の左右の縁（２ｂ、２ｃ）に沿って延びている。この透光体１１が踏み板２の前縁２ａから後縁２ｂまで延びて配置されている。【選択図】図１
2013079504.tif 000002
【特許請求の範囲】
【請求項１】
踏面を備える踏み板と、
この踏み板を支持する脚部と、
上記踏み板の踏面に取り付けられた透光体と、
この透光体に近接して踏み板に埋め込まれた踏面光源と、
移動対象を検知する人感センサとを備えており、
この人感センサが移動対象を検知することにより、踏面光源が発光するように構成されており、
上記人感センサが、定められた照度以上の環境下では動作しないようにされており、
上記透光体が、踏面光源から光を受けて、その光を上方へ放射しうるように構成されている、踏み台。
【請求項２】
上記透光体が踏面に位置して踏み板の左右の縁に沿って延びており、
この透光体が踏み板の前縁から後縁まで延びて配置されている、請求項１に記載の踏み台。
【請求項３】
上記透光体が踏面に位置して踏み板の前後の縁に沿って延びており、
この透光体が踏み板の右縁から左縁まで延びて配置されている、請求項１に記載の踏み台。
【請求項４】
上記脚部が設置される設置面を照らす設置面光源を備えており、
上記人感センサが移動対象を検知することにより、設置面光源が発光するように構成されている請求項１から３のいずれかに記載の踏み台。
【発明の詳細な説明】
【技術分野】
【０００１】
本発明は、段差部に設置される踏み台に関する。
【背景技術】
【０００２】
建物の玄関の上がりかまち、階段、縁側等の段差部には、踏み台が設置されることがある。この踏み台により、利用者は、大きな段差を登り降りし易くされている。夜間等においては、利用者が踏み台の位置を視認することが難しい場合がある。証明具を点灯することで視認し易くされるが、照明具を点灯するためのスイッチの所在位置を視認することも難しい場合がある。
【０００３】
上記問題を解消するために、踏み台自体に照明具を設置することも考えられる。しかし、夜間等の暗い時間帯には照明具を継続して点灯させていなければ上記と同様の問題が生じる。
【発明の概要】
【発明が解決しようとする課題】
【０００４】
本発明は、夜間等の暗い環境であっても、必要なときに所在位置の視認が容易になる踏み台を提供することを目的としている。
【課題を解決するための手段】
【０００５】
本発明に係る踏み台は、踏面を備える踏み板と、この踏み板を支持する脚部と、この踏面に取り付けられた透光体と、この透光体に近接して踏み板に埋め込まれた踏面光源と、移動対象を検知する人感センサとを備えている。この人感センサは、移動対象を検知することにより、踏面光源が発光するように構成されている。上記人感センサは、定められた照度以上の環境下では動作しないようにされている。上記透光体は、踏面光源から光を受けて、その光を上方へ放射しうるように構成されている。
【０００６】
好ましくは、この透光体は、踏面に位置して踏み板の左右の縁に沿って延びている。この透光体は、踏み板の前縁から後縁まで延びて配置されている。
【０００７】
好ましくは、この透光体は、踏面に位置して踏み板の前後の縁に沿って延びている。この透光体は、踏み板の右縁から左縁まで延びて配置されている。
【０００８】
好ましくは、この踏み台は、脚部が設置される設置面を照らす設置面光源を備えている。この踏み台は、上記人感センサが移動対象を検知することにより、設置面光源が発光するように構成されている。
【発明の効果】
【０００９】
本発明に係る踏み台よれば、夜間等の暗い環境下でのみ、使用者が近づくことによって視認しうる照明がなされる。従って、この踏み台は、使用者の安全、利便性等に寄与しうる。更にこの踏み台は、電気の節約が期待できる。
【図面の簡単な説明】
【００１０】
【図１】図１は、本発明の一実施形態に係る踏み台が示された説明図である。
【図２】図２は、図１の踏面の発光体と透光体との断面を示す説明図である。
【図３】図３は、図１の設置面を照らす発光体の断面を示す説明図である。
【図４】図４は、図１の踏み台の電気回路の説明図である。
【図５】図５は、図１の踏面の発光体の平面図である。
【図６】図６は、本発明の他の実施形態に係る踏み台の踏面の発光体の平面図である。
【発明を実施するための最良の形態】
【００１１】
以下、適宜図面が参照されつつ、好ましい実施形態に基づいて本発明が詳細に説明される。
【００１２】
ここでは説明の便宜上、図１の矢印Ｘの向きを前後方向前向きとして、矢印Ｙの向きを左右方向右向きとして、矢印Ｚの向きを上下方向上向きとして説明がされる。図１に示された踏み台１は、踏み板２と、脚部３とを備えている。踏み板２は、利用者の足等が載せられる踏面４を備えている。この踏面４は踏み板２の上方に面して形成されている。
【００１３】
踏み板２は、平面視（上下方向下向きに見て）において、略長方形の形状を備えている。この踏み板２の前縁２ａが段差部側に位置する。この踏み板２の下面には枠５が下方に突出して形成されている。この枠５は、踏み板２の前縁２ａと後縁２ｂと左縁２ｃと右縁ｄとに沿って延びている。踏面４には、左右方向に延びる溝６が、前後方向に一定の間隔で複数形成されている。この溝６は、滑り止めとして機能する。
【００１４】
脚部３は、４組の脚７及びアジャスタ８を備えている。４本の脚７は、この枠５の四隅から下方に延びている。脚７の下端にアジャスタ８が取り付けられている。４本のアジャスタ８が設置面２５に接地して踏み板２が支持される。アジャスタ８の雄ねじが、脚７に上下方向を軸線にしてねじ込まれている。このねじ込み深さを変更することで脚部３の上下方向高さが変更可能にされている。図示されないが、このアジャスタ８は、雄ねじがねじ込まれたナットを備えている。このナットが雄ねじに沿って脚７の下端に押し付けられて、アジャスタ８が固定されている。
【００１５】
本実施形態では、踏み板２は平面視において略長方形に形成されているが、かかる形状には限定されない。正方形であってもよく、楕円形であってもよい。踏み板２は、例えば、木製であり、合成樹脂製等でもよい。脚部３は、円柱形状を備えているが、かかる形状には限定されない。例えば、四角柱であってもよい。脚部３は、例えば、木製であり、合成樹脂製等でもよい。この踏み板２又は脚部３がＬ型金具などの金具を介して、上がりかまちや階段等、踏み台１が設置される段差部に固定されてもよい。
【００１６】
この踏面４には、左縁２ｃ及び右縁２ｂの近傍に前後方向の延びる凹部９が形成されている。この凹部９は、踏み板２の前縁２ａから後縁２ｂまで延びている。
【００１７】
図２は、この凹部９が位置する踏み板２の部分の、前後方向に垂直な断面である。この凹部９には、ケース１０及び透光体１１が嵌合されている。ケース１０は、上方が開口とされており、凹部９に勘合されて、踏み板２の前縁２ａから後縁２ｂまで延びている。この透光体１１は、このケース１０の開口を覆っており、踏み板２の前縁２ａから後縁２ｂまで延びている。ケース１０及び透光体１１は、例えばアクリル樹脂、ポリエステル等から形成されている。透光体１１は、透光性材料から形成されている。この透光体１１は、その下方から上方に透過する光を上方へ放射するためのものである。
【００１８】
図２に示されるように、透光体１１の下面には凹凸１１ａが形成されてもよい。この凹凸１１ａにより、上方への光放射効果が高められている。ここでは、ケース１０と透光体１１とを別体としたが、一体であってもよい。
【００１９】
図１に示されるように、この踏み台１の枠５には、後方に面する側面の中央に、反射カバー１２が取付られている。図３は、この反射カバー１２が位置する部分の、左右方向に垂直な断面である。この反射カバー１２は、その内面に受ける光を下方に反射する形状に形成されている。
【００２０】
この踏み台１は、発光装置１３を備えている。図４に示すように、発光装置１３は、電池１４と、制御基板１５と、踏面光源としての発光体１６と、設置面光源としての発光体１７と、人感センサ１８及び照度センサ１９とを含んでいる。電池１４、発光体１６、発光体１７、人感センサ１８及び照度センサ１９は、制御基板１５を介して電気的に接続されている。
【００２１】
図５に示すように、発光体１６は、基板２０と、基板２０の長手方向に並べられた複数のＬＥＤ（発光ダイオード）２１とからなる。発光体１６は、この基板２０の端部で開閉可能にされた電気回路に接続されている。この発光体１６では、３個のＬＥＤ２１が所定の間隔で並べられている。このＬＥＤ２１は３個で例示されたが、１個以上いくつであってもよい。
【００２２】
図２に示すように、この発光体１６がケース１０に収納されている。このＬＥＤ２１が透光体１１の下面に面している。この踏み台１では、ＬＥＤ２１は、透光体１１の凹凸１１ａに面している。
【００２３】
発光体１７は、基板２３及びＬＥＤ（発光ダイオード）２４を備えている。図３に示されるように、発光体１７は、反射カバー１２に収納されている。ＬＥＤ２４が下方を照らす向きに、発光体１７は固定されている。
【００２４】
図１に示されるように、人感センサ１８は、踏面４に埋め込まれている。この人感センサ１８は、後縁２ｂの近傍の踏面４に位置している。照度センサ１９は、踏面４に埋め込まれている。踏面４の上方の照度を測定可能にされている。照度センサ１９は、前縁２ａの近傍の踏面４に位置している。
【００２５】
図示されないが、電池１４及び制御基板１５は、踏み板２の下面に固定されている。電池１４は着脱可能にされている。ここでは、電池１４を電源としているが、例えば、電池１４は、各種乾電池又は充電池でもよい。又は、電池に代えて、交流電源及びコンバータに接続する電線を備えていてもよい。例えば、プラグを備え、このプラグがコンセントに接続されてもよい。しかし、電池の採用は、落雷等に起因する停電時にも発光装置１３が発光効果を発揮するので好ましい。
【００２６】
人感センサ１８は、赤外線センサ等により、動く物体を検知したときに検知信号を発する。本実施形態では、この人感センサ１８からの検知信号に基づき、制御基板１５から発信されたＬＥＤ点灯指令信号がＬＥＤ２１及び２４を発光させる。制御基板１５にはタイマー機能が付与されている。このタイマー機能により、ＬＥＤ２１及び２４は、発光した時点から、設定された所定の時間経過後に発光が停止される。
【００２７】
人感センサ１８に対しては照度センサ１９が協働する。照度センサ１９は、周囲環境の照度を検知する。照度センサ１９には閾値が設定されており、検知された照度がこの閾値の上か下で、照度センサ１９の所定の作動が起こる。本実施形態では、照度センサ１９の検知照度に基づいて、人感センサ１８の機能の停止及び発揮がなされる。照度センサ１９が閾値未満の照度を検知しているとき（暗いとき）、人感センサ１８に対して停止信号は送られない。人感センサ１８は通常の動作可能の状態となる。従って、人感センサ１８が人の動きを検知すれば、ＬＥＤ２１及び２４が発光して照明される。照度センサ１９が閾値以上の照度を検出しているとき（明るいとき）、人感センサ１８に対して停止信号が送られる。これにより、人感センサ１８は動作不能の状態となる。
【００２８】
以上の如く、人感センサ１８と照度センサ１９との協働により、照明が必要とされる環境下においてのみ踏み台１及びその近傍が照明される。この踏み台１では、使用者にとっての安全性及び利便性が得られ、電気の節約も可能である。
【００２９】
この人感センサ１８は、後縁２ｂの近傍の踏面４に位置している。後方から踏み台１に近付く利用者を検知し易い。一方、利用者が段差部側の前方から踏み台１に近付く際に、段差部がこの利用者の検知の障害になり難い。これにより、利用者が検知し易くされている。
【００３０】
この照度センサ１９は踏面４に位置しているので、踏面４の上方の照度が検知されやすい。前縁２ａの近傍の踏面４に位置しているので、利用者の足に隠れ難い。これにより、踏み台１の周辺の照度が検知されやすい。この観点から、照度センサー１９は、踏面４の四隅のいずれかに位置してもよい。
【００３１】
一対の発光体１６の一方は、左縁２ｃの近傍の踏面４に位置している。発光体１６の他方は、右縁２ｄの近傍の踏面４に位置している。発光体１６の一方は、左縁２ｃ沿って延びている。発光体１６の他方は、右縁２ｄに沿って延びている。この発光体１６により、踏面４の左右端が容易に視認される。更に、発光体１６が踏面４の前端から後端まで延びているので、踏面４の前後端が容易に視認される。透光体１１の下面には凹凸１１ａが上方への光放射効果を高めているので、発光体１６は前後の長手方向に斑なく照らせ得る。この凹凸１１ａにより、この発光体１６は、ＬＥＤ２１は前後方向に間隔を広げて配置されうる。この発光体１６は、踏面４に位置して、前後の縁（２ａ、２ｂ）に沿って延びて配置されてもよく、その場合、発光体１６は踏面４の右端から左端まで延びていることが好ましい。
【００３２】
発光体１７は、脚部３が設置する設置面２５を照らしている。発光体１６と発光体１７とにより、設置面２５から踏面４の高さが容易に視認される。発光体１７により、この踏み台１では、踏み台１の周辺が容易に視認できる。
【００３３】
発光体１６に代えて、図６に示される発光体２６が用いられてもよい。この発光体２６は、フレキシブル基板２７と、フレキシブル基板２７の長手方向に並べられた複数のＬＥＤ（発光ダイオード）２８とからなる。このフレキシブル基板２７は、その長手方向の所定の間隔Ｌ毎に電気回路を構成するプリント回路接点３０が露出している。一端に位置するプリント回路接点３０ａ及び３０ｂが開閉可能にされた電気回路に接続されている。他端に位置するプリント回路接点３０ｃと接点３０ｄとが接続されて通電可能にされている。
【００３４】
このフレキシブル基板２７では、その露出しているプリント回路接点３０の部分で切断して、切断されたプリント回路接点３０を接続することができる。この接続により、容易にプリント回路接点３０が通電可能にされる。この発光体２６では、露出しているプリント回路接点３０の部分で切断することで、長さの変更が容易にされている。
【産業上の利用可能性】
【００３５】
本発明に係る踏み台は、屋内の玄関、階段、廊下等に限らず、屋外の階段、段差等がある場所にも同様に適用可能である。
【符号の説明】
【００３６】
１・・・踏み台
２・・・踏み板
３・・・脚部
４・・・踏面
５・・・枠
６・・・溝
７・・・脚
８・・・アジャスタ
９・・・凹部
１０・・・ケース
１１・・・透光体
１１ａ・・・凹凸
１２・・・反射カバー
１３・・・発光装置
１４・・・電池
１５・・・制御基板
１６・・・発光体
１７・・・発光体
１８・・・人感センサ
１９・・・照度センサ
２０・・・基板
２１・・・ＬＥＤ
２３・・・基板
２４・・・ＬＥＤ
２５・・・設置面
２６・・・発光体
２７・・・フレキシブル基板
２８・・・ＬＥＤ
３０・・・接点
【図１】
2013079504.tif 000003
【図２】
2013079504.tif 000004
【図３】
2013079504.tif 000005
【図４】
2013079504.tif 000006
【図５】
2013079504.tif 000007
【図６】
2013079504.tif 000008